(57)【要約】  【課題】  簡単な操作により、任意の文字について下線の有無を選択しながら文字や記号等を入力することのできるプリンタを提供する。  【解決手段】  このプリンタは、文字等を入力するために用いられる入力手段３０と、第１群の索引番号と文字列データとを対応付けて格納すると共に、第２群の索引番号と文字列データとを対応付けて格納する格納手段２１と、索引番号に対応する文字列データを格納手段から読み出す読出手段２５ｂと、第１群の索引番号の内のいずれかが入力された際に、読み出された文字列データによって表される文字列を印字するための印字データを生成し、第２群の索引番号の内のいずれかが入力された際に、読み出された文字列データによって表される文字列に下線を付して印字するための印字データを生成する印字データ生成手段２５ｃと、印字媒体に文字列を印字する印字手段２５ｅとを具備する。【選択図】  図３
2006007628.tif 000002
【特許請求の範囲】
【請求項１】
文字又は記号を入力するために用いられる入力手段と、
少なくとも１つの数字によって構成される第１群の索引番号と少なくとも１つの文字によって構成される文字列を表す文字列データとを対応付けて格納すると共に、数字以外の記号と少なくとも１つの数字との組合せによって構成される第２群の索引番号と少なくとも１つの文字によって構成される文字列を表す文字列データとを対応付けて格納する格納手段と、
前記入力手段を用いて入力される索引番号に対応する文字列データを前記格納手段から読み出す読出手段と、
前記入力手段を用いて第１群の索引番号の内のいずれかが入力された際に、前記読出手段によって読み出された文字列データによって表される文字列を印字するための印字データを生成し、前記入力手段を用いて第２群の索引番号の内のいずれかが入力された際に、前記読出手段によって読み出された文字列データによって表される文字列に下線を付して印字するための印字データを生成する印字データ生成手段と、
前記印字データ生成手段によって生成された印字データに基づいて、印字媒体に文字列を印字する印字手段と、
を具備するプリンタ。
【請求項２】
前記印字データ生成手段によって生成された印字データに基づいて、表示部に確認画面を表示させる処理手段をさらに具備する請求項１記載のプリンタ。
【請求項３】
前記第２群の索引番号の各々が、数字以外の記号を数字の前に付すことにより構成されることを特徴とする請求項１又は２記載のプリンタ。
【請求項４】
前記第２群の索引番号の各々が、数字以外の記号を数字の後に付すことにより構成されることを特徴とする請求項１又は２記載のプリンタ。
【発明の詳細な説明】
【技術分野】
【０００１】
本発明は、台紙に仮着されたラベル、又は、タグ製造用の帯状のシートに印字を行うプリンタに関する。
【背景技術】
【０００２】
小規模の商品製造会社やスーパーマーケット等においては、ラベルプリンタを用いて、商品名、製造年月日、価格等を表す文字や、商品名及び価格等を表すバーコードを、商品に貼り付けられるラベルに印字している。そのために、商品名等を表すカタカナ、英文字、数字等の文字や、バーコード等の記号が、ラベルプリンタが備えているキーボード等の入力部を用いて入力される。
【０００３】
ところで、ラベルプリンタを用いて文字を印字する場合に、印字される文字に下線を付したい場合がある。例えば、リサイクルマークと共に表示する文字に下線を付す場合について説明する。近年、天然資源の消費を抑制し、環境への負荷を低減させる循環型社会に対する意識が高まっている。循環型社会を実現するためには、中古品の利用や、ゴミになるものを買わない等の消費者の努力と共に、ゴミを効率良く再利用することが必要である。そのために、容器包装リサイクル法や家電リサイクル法等の法律が施行されている。
【０００４】
容器包装リサイクル法においては、生産物の原料を表す識別マーク（リサイクルマーク）を表示することが義務付けられている。リサイクルマークとしては、飲料用の缶の材質を表すアルミ缶識別マークやスチール缶識別マーク、飲料や酒類や食料品用のペットボトルの材質を表すＰＥＴボトル識別マーク、アルミ不使用の飲料用紙パックや段ボール製を除く紙製容器包装の材質を表す紙製容器包装識別マーク、及び、飲料や酒類や食料品用のペットボトル以外のプラスチック製容器包装の材質を表すプラスチック製容器包装識別マークが該当する。
【０００５】
プラスチック製容器包装識別マークにおいては、ＰＥＴボトル識別マークとは異なり、多数あるプラスチックの材質を区別していないので、プラスチック製容器包装識別マークと共に、ポリエチレン（ＰＥ）、ポリプロピレン（ＰＰ）、ポリスチレン（ＰＳ）、ポリ塩化ビニル（ＰＶＣ）等の材質を明示することが望ましいとされ、さらに、複数の材質を明示する場合には、主要な構成材質に下線を引くと共に、各材質を記号「，」を用いて区切ることとされている。
【０００６】
しかしながら、従来のラベルプリンタにおいては，下線付きの文字を印字するための文字データがなく、下線付きの文字を入力するためには、文字データと罫線データとの組合せで下線付きの文字を指定しなければならないという問題があった。
【０００７】
関連する技術として、下記の特許文献１には、消費者が簡単にアレルギー物質を確認できるラベルを発行するラベルプリンタが開示されている。このラベルプリンタは、物質名を複数記憶する特定物質テーブルを備え、ＣＰＵが、商品の原材料データと同じ物質名が特定物質テーブル内に存在するか否かを判断し、特定物質と判断した原材料名においては、その原材料名をドットデータに展開する処理を行う際に、所定の処理を施すことにより、他の原材料名とは異なる様態で印字することができる。
【０００８】
しかしながら、このラベルプリンタにおいては、テーブルに記憶されている文字については、必ず異なる様態で印字されてしまうので、任意の文字について下線の有無を必要に応じて選択することができない。
【特許文献１】特開２００２−２５４７１９号公報（第１頁、図１）
【発明の開示】
【発明が解決しようとする課題】
【０００９】
そこで、上記の点に鑑み、本発明は、簡単な操作により、任意の文字について下線の有無を選択しながら文字や記号等を入力することのできるプリンタを提供することを目的とする。
【課題を解決するための手段】
【００１０】
上記課題を解決するため、本発明に係るプリンタは、文字又は記号を入力するために用いられる入力手段と、少なくとも１つの数字によって構成される第１群の索引番号と少なくとも１つの文字によって構成される文字列を表す文字列データとを対応付けて格納すると共に、数字以外の記号と少なくとも１つの数字との組合せによって構成される第２群の索引番号と少なくとも１つの文字によって構成される文字列を表す文字列データとを対応付けて格納する格納手段と、入力手段を用いて入力される索引番号に対応する文字列データを格納手段から読み出す読出手段と、入力手段を用いて第１群の索引番号の内のいずれかが入力された際に、読出手段によって読み出された文字列データによって表される文字列を印字するための印字データを生成し、入力手段を用いて第２群の索引番号の内のいずれかが入力された際に、読出手段によって読み出された文字列データによって表される文字列に下線を付して印字するための印字データを生成する印字データ生成手段と、印字データ生成手段によって生成された印字データに基づいて、印字媒体に文字列を印字する印字手段とを具備する。
【００１１】
このプリンタは、印字データ生成手段によって生成された印字データに基づいて、表示部に確認画面を表示させる処理手段をさらに具備するようにしても良い。以上において、第２群の索引番号の各々は、数字以外の記号を数字の前に付すことにより構成されても良いし、数字以外の記号を数字の後に付すことにより構成されても良い。
【発明の効果】
【００１２】
本発明によれば、数字以外の記号と少なくとも１つの数字との組合せによって構成される第２群の索引番号のいずれかが入力された際に、文字列に下線を付して印字するための印字データを生成するようにしたので、簡単な操作により、任意の文字について下線の有無を選択しながら文字や記号等を入力することができる。
【発明を実施するための最良の形態】
【００１３】
以下、本発明を実施するための最良の形態について、図面を参照しながら詳しく説明する。
図１は、本発明の一実施形態に係るプリンタの内部構造を示す図である。本実施形態においては、台紙に仮着されたラベル、又は、タグ製造用の帯状のシートに印字を行うスタンドアロンタイプのサーマルプリンタを例にとって説明する。
【００１４】
プリンタ１０においては、印字媒体として、ラベル連続体１３が用いられる。ラベル連続体１３は、ラベル１１を台紙１２に剥離可能に仮着することにより構成されている。ラベル１１は、サーマル紙であって、例えば、所定の温度で黒を発色する。
【００１５】
図１に示すように、ラベル連続体１３は、紙管に巻かれて、回転可能な供給軸１４に装着されている。ステッピングモータ１６がベルト１７を介してプラテンローラ１５を駆動することによって、ラベル連続体１３が、図中の右方から左方へ向けて搬送される。ラベル連続体１３の搬送は、センサ１９の検出結果に基づいて制御され、サーマルヘッド１８が、ラベル連続体１３に含まれているラベル１１に印字を行う。ここで、各部の動作は、制御部２０によって制御されている。
【００１６】
制御部２０は、オペレータがキーボード等の入力部３０を用いて入力する情報に基づいて、入力された情報によって表される文字列等を表示部４０に表示させると共に、ステッピングモータ１６やサーマルヘッド１８等を制御することにより、入力された情報によって表される文字列等をラベル等に印字させる。
【００１７】
図２は、図１に示すプリンタの外観を示す斜視図である。図２に示すように、プリンタ１０の上面には、印字すべき文字列等を表す情報を入力するためのキーボードを含む入力部３０と、印字すべき文字列等を表示するためのＬＣＤパネルを含む表示部４０とが設けられている。また、入力部３０には、カタカナ、英文字、数字等の文字や、バーコード等の記号を入力するためのテンキーと、ハイフン又はマイナスを入力するためのハイフンキー又はマイナスキーと、入力された情報を確定したり操作を進めたりするためのセットキーや発行キー等が設けられている。
【００１８】
プリンタ１０においては、テンキーを用いてカタカナや英文字を入力するのは手間がかかるので、電話における短縮ダイアルのように、予め索引番号と文字列データとを対応付けて格納しておき、索引番号を入力することによって文字列を指定できるようにしている。特に、本実施形態においては、下線を付さない文字に対応する索引番号を数字のみによって構成し、下線を付する文字列に対応する索引番号を「−（ハイフン又はマイナス）」と数字とによって構成することにより、同一の文字列についても、下線無しと下線付きとの両方を登録しておき、一方を選択的に入力できるようにしている。なお、「−」は、数字の前に付するのみならず、数字の後や途中に付するようにしても良い。
【００１９】
図３は、本発明の一実施形態に係るプリンタの制御部の構成を示すブロック図である。制御部２０のハードディスク２１には、入力部３０を用いて入力された索引番号と文字列データとを対応付けて格納する登録テーブルが記録されている。ハードディスク制御部２２は、ハードディスク２１に対するデータの書込み及び読出しを制御する。
【００２０】
また、制御部２０のＲＯＭ（read only memory）２３には、プリンタの各部を制御するための制御プログラムが格納されている。一方、ＲＡＭ（random access memory）２４には、文字列の登録や印字の際に入力される索引番号及び文字列データや、印字の際に生成される印字データ等の、各種のデータが一時的に記憶される。
【００２１】
制御部２０のＣＰＵ（central processing unit）２５は、ＲＯＭ２３に記憶されている制御プログラムに従って、モータ制御部２６やサーマルヘッド制御部２７等を制御する。ＣＰＵ２５の制御の下で、モータ制御部２６が、ステッピングモータ１６を動作させ、サーマルヘッド制御部２７が、ＲＡＭ２４に記憶されている各種のデータに基づいてサーマルヘッド１８を駆動し、センサ制御部２８が、センサ１９を動作させる。また、ＣＰＵ２５は、インタフェース２９を介して入力部３０及び表示部４０に接続されている。
【００２２】
次に、ＣＰＵ２５と制御プログラムとによって構成される機能ブロック２５ａ〜２５ｅについて説明する。
文字列登録部２５ａは、入力部３０を用いて入力される索引番号と文字列データとを対応付けて登録テーブルに格納することにより、文字列の登録を行う。本実施形態においては、登録される文字列の分類毎に異なる登録テーブルをハードディスク２１に記録しておき、文字列登録部２５ａが、入力された分類情報に基づいて、所望の登録テーブルに文字列データを格納する。例えば、オペレータが、入力部３０を用いて、リサイクルマークに関する登録テーブルを指定する分類情報を入力し、索引番号及び文字列データを入力することによって、文字列登録部２５ａが、リサイクルマークに関する登録テーブルに索引番号及び文字列データを格納する。
【００２３】
文字列読出部２５ｂは、入力部３０を用いて入力される分類情報及び索引番号に基づいて、ハードディスク２１に記録されている所望の登録テーブルから、索引番号に対応する文字列を表す文字列データを読み出す。
【００２４】
印字データ生成部２５ｃは、入力部３０を用いて入力された索引番号に「−（ハイフン又はマイナス）」が含まれているか否かを判定し、索引番号に「−」が含まれていない場合には、文字列読出部２５ｂによって読み出された文字データに基づいて印字データを生成し、索引番号に「−」が含まれている場合には、文字列読出部２５ｂによって読み出された文字データによって表される文字列に下線を付して印字するための印字データを生成する。
【００２５】
表示処理部２５ｄは、登録処理の際、又は、印字処理の際に、印字データ生成部２５ｃによって生成された印字データに基づいて、表示部４０に文字列を表示させる。印字処理部２５ｅは、入力部５０を用いて入力される印字要求に応答して、印字データ生成部２５ｃによって生成された印字データに基づいて、モータ制御部２６、サーマルヘッド制御部２７、及び、センサ制御部２８を制御することにより、印字データ生成部２５ｃによって生成された印字データによって表される文字列を、サーマルヘッド１８に印字させる。
本実施形態においては、ＣＰＵ２５と制御プログラムによって機能ブロック２５ａ〜２５ｅを構成したが、ディジタル回路やアナログ回路によってこれらの機能ブロックを構成しても良い。
【００２６】
次に、本実施形態に係るプリンタの動作について、図１〜図１５を参照しながら説明する。
図４は、図１に示すプリンタの登録処理の際における動作を示すフローチャートである。まず、ステップＳ１において、オペレータが、入力部３０を用いて、リサイクルマークに関する文字列を登録することを表す分類情報を入力する。次に、ステップＳ２において、表示処理部２５ｄが、索引番号を入力するための入力画面を表示部４０に表示させる。
【００２７】
図５は、索引番号を入力するための入力画面を表す図である。図５に示すように、入力画面５０には、リサイクルマークに関する文字列を格納する登録テーブルを識別するためのテーブル名の欄５１や、索引番号入力欄５２や、入力形式指定欄５３等が表示される。
【００２８】
再び図４を参照すると、ステップＳ３において、オペレータが、入力部３０のテンキーを用いて、図５に示すように、索引番号を表す４桁の数字「０００１」を索引番号入力欄５２に入力し、登録すべき索引番号を設定するためにセットキーを押下する。
【００２９】
ステップＳ３におけるセットキーの押下に応答して、ステップＳ４において、表示処理部２５ｄが、リサイクルマークに関する文字列を入力するための入力画面を表示部４０に表示させる。
【００３０】
図６は、リサイクルマークに関する文字列を入力するための入力画面を示す図である。図６に示すように、入力画面６０には、リサイクルマークに関する文字列を格納する登録テーブルを識別するためのテーブル名の欄６１や、文字列入力欄６２や、入力形式指定欄６３等が表示される。
【００３１】
再び図４を参照すると、ステップＳ５において、オペレータが、入力部３０のテンキー等を用いて、図６に示すように、文字列入力欄６２に文字列を入力し、登録すべき文字列を設定するためにセットキーを押下する。なお、図６においては、文字列入力欄６２に、プラスチック製容器包装の材質がポリエチレンであることを表す文字列「ＰＥ」を入力した入力画面を示している。
【００３２】
ステップＳ５におけるセットキーの押下に応答して、ステップＳ６において、文字列登録部２５ａが、ハードディスク２１に記録されているリサイクルマークに関する登録テーブルに、索引番号「０００１」と文字列「ＰＥ」とを対応付けて格納する。これにより、下線を付加しない文字列「ＰＥ」を登録することができる。
【００３３】
次に、ステップＳ７において、表示処理部２５ｄが、リサイクルマークに関する文字列に対応する索引番号を入力するための入力画面を表示部４０に表示させる。ステップＳ８において、オペレータが、入力部３０のテンキー及びハイフンキーを用いて、図７に示すように、「−」を前に付した３桁の数字「−００１」を索引番号入力欄５２に入力し、索引番号を設定するためにセットキーを押下する。
【００３４】
ステップＳ８におけるセットキーの押下に応答して、ステップＳ９において、表示処理部２５ｄが、リサイクルマークに関する文字列を入力するための画面を表示部４０に表示させる。
【００３５】
ステップＳ１０において、オペレータが、入力部３０のテンキー等を用いて、図６に示すように、文字列入力欄６２に文字列を入力し、登録すべき文字列を設定するためにセットキーを押下する。ここでは、ステップＳ５と同様に、文字列入力欄６２に、プラスチック製容器包装の材質がポリエチレンであることを表す文字列「ＰＥ」を入力した場合を示している。
【００３６】
ステップＳ１０におけるセットキーの押下に応答して、ステップＳ１１において、文字列登録部２５ａが、ハードディスク２１に記録されているリサイクルマークに関する登録テーブルに、索引番号「−００１」と文字列「ＰＥ」とを対応させて格納する。これにより、下線を付加する文字列「ＰＥ」を、登録テーブルに格納することができる。
【００３７】
このように、ステップＳ２〜Ｓ６、又は、ステップＳ７〜１１の操作を繰り返すことによって、図８に示すような登録テーブルを作成することができる。なお、「ＰＰ」は、プラスチック製容器包装の材質がポリプロピレンであることを表す文字列であり、「ＥＶＡＣ」は、プラスチック製容器包装の材質がエチレン−酢酸ビニル樹脂であることを表す文字列である。
【００３８】
次に、印字処理の際における動作について説明する。図９及び図１０は、図１に示すプリンタの印字処理の際における動作を示すフローチャートである。まず、ステップＳ２１において、オペレータが、入力部３０を用いて、リサイクルマークに関する文字列を印字することを表す分類情報を入力する。ステップＳ２２において、印字データ生成部２５ｃが、入力された情報に基づいて、プラスチック製容器包装識別マーク及びプラスチック製容器包装の材質を印字するためのフォーマットを設定する。複数のプラスチック製容器包装を含む複合材質については、記号「，」を用いて、複数の材質をそれぞれ表す複数の文字列を区切って印字する。次に、ステップＳ２３において、表示処理部２５ｄが、プラスチック製容器包装の材質を指定する索引番号を入力するための画面を表示部４０に表示させる。
【００３９】
図１１は、プラスチック製容器包装の材質を指定する１番目の索引番号を入力するための画面を示す図である。図１１に示すように、入力画面７０には、印字すべき文字列が格納されている登録テーブルを識別するためのテーブル名の欄７１や、索引番号入力欄７２や、入力形式指定欄７３や、印字すべき文字列の印字順番を表す印字順番欄７４や、印字すべき文字列の入力モードを表す入力モード欄７５が表示される。
【００４０】
再び図９を参照すると、ステップＳ２４において、オペレータが、入力部３０のテンキー及びハイフンキーを用いて、図１１に示すように、下線を付加する文字列「ＰＥ」を表す索引番号「−００１」を索引番号入力欄７２に入力し、索引番号を設定するためにセットキーを押下する。
【００４１】
次に、ステップＳ２５において、表示処理部２５ｄが、プラスチック製容器包装の材質を指定する２番目の索引番号を入力するための画面を表示部４０に表示させる。ステップＳ２６において、オペレータが、入力部３０のテンキーを用いて、図１２に示すように、下線を付加しない文字列「ＥＶＡＣ」を表す索引番号「０００３」を索引番号入力欄７２に入力し、索引番号を設定するためにセットキーを押下する。次に、ステップＳ２７において、表示処理部２５ｄが、プラスチック製容器包装の材質を指定する３番目の索引番号を入力するための画面を表示部４０に表示させる。
【００４２】
図１３は、プラスチック製容器包装の材質を指定する３番目の索引番号を入力するための画面を表す図である。図１３には、画面をスクロールするためのスクロールマーク７６が示されており、入力部３０を用いて画面をスクロールさせることによって、図１３の画面に表示されていない１番目の索引番号に対しても修正を行うことができる。
【００４３】
再び図９を参照すると、ステップＳ２８において、オペレータが、入力部３０の発行キーを押下することにより、印字すべき文字列を確定させる。さらに、ステップＳ２９において、オペレータが、入力部３０のテンキーを用いて発行枚数を入力し、セットキーを押下する。
【００４４】
次に、図１０に示すステップＳ３０〜Ｓ３４を繰り返すことにより、索引番号毎に、対応する文字列データを順次読み出して、ラベルに印字を行うための印字パターンを表す印字データを生成する。
【００４５】
まず、ステップＳ３０において、文字列読出部２５ｂが、入力された索引番号に基づいて、リサイクルマークに関する登録テーブルに格納されている対応する文字列を表す文字列データを読み出す。例えば、１回目の読出しにおいては、ステップＳ２４において入力された索引番号「−００１」に基づいて、登録テーブルに格納されている対応する文字列「ＰＥ」を表す文字列データを読み出す。２回目の読出しにおいては、ステップＳ２６において入力された索引番号「０００３」に基づいて、登録テーブルに格納されている対応する文字列「ＥＶＡＣ」を表す文字列データを読み出す。
【００４６】
次に、ステップＳ３１において、印字データ生成部２５ｃが、入力された索引番号に「−」が付されているか否かを判定する。入力された索引番号に「−」が付されている場合にはステップＳ３２に移行し、入力された索引番号に「−」が付されていない場合にはステップＳ３３に移行する。例えば、１回目の読出しにおいては、ステップＳ２４において入力された索引番号「−００１」に「−」が付されていると判定されて処理がステップＳ３２に移行し、２回目の読出しにおいては、ステップＳ２６において入力された索引番号「０００３」に「−」が付されていないと判定されて処理がステップＳ３３に移行する。
【００４７】
入力された索引番号に「−」が付されている場合には、ステップＳ３２において、印字データ生成部２５ｃが、文字列読出部２５ｂによって読み出された文字列データに基づいて、下線を付加した文字列を表す印字データを生成する。例えば、文字列データによって表される文字列が「ＰＥ」である場合には、下線を付加した文字列「ＰＥ」を表す印字データを生成する。
【００４８】
図１４に示すように、１つの文字の占める領域が１６ドット×１６ドットである場合には、下線を付加した文字列を表す印字データが、印字すべき文字列の領域の下部に１６ドット×文字数分の長さの下線を付加するように生成される。同様に、１つの文字の占める領域が２２ドット×２２ドットである場合には、下線を付加した文字列を表す印字データが、印字すべき文字列の領域の下部に２２ドット×文字数分の長さの下線を付すように生成される。
【００４９】
一方、入力された索引番号に「−」が付されていない場合には、ステップＳ３３において、印字データ生成部２５ｃが、文字列読出部２５ｂによって取得された文字列データに基づいて、下線を付加しない文字列を表す印字データを生成する。例えば、文字列データによって表される文字列が「ＥＶＡＣ」である場合には、下線を付加しない文字列「ＥＶＡＣ」を表す印字データを生成する。
【００５０】
次に、ステップＳ３４において、未処理の索引番号が残っているか否かを判定する。未処理の索引番号が残っている場合には、ステップＳ３０に戻り、ステップＳ３０〜ステップＳ３４を繰り返す。未処理の索引番号が残っていない場合には、ステップＳ３５に移行する。
【００５１】
ステップＳ３５において、印字データ生成部２５ｃが、ステップＳ３２又はＳ３３において生成された印字データに基づいて、印字パターンを示す印字データを生成する。ステップＳ３６において、表示処理部２５ｄが、ステップＳ３５において生成された印字データに基づいて、図１５に示すような確認画面を表示させる。確認画面８０の印字パターンが、オペレータによって確認される。ステップＳ３７において、印字パターンを確認したオペレータが、入力部３０を用いて、印字を指示する。ステップＳ３８において、印字処理部２５ｅが、印字の指示に応答して、ステップＳ３５において生成された印字データに基づいて、サーマルヘッドに文字列等を印字させる。
【００５２】
なお、ステップＳ２２においては、記号「，」を用いて複数の文字列を区切って表示するフォーマットを設定しているが、一般的な文字列を印字する場合には、記号「，」又は「・」やスペース等を用いて複数の文字列を区切って印字するフォーマットと、文字列の間を詰めて印字するフォーマット等との内から、所望のフォーマットを選択できるようにしても良い。
【００５３】
例えば、所定の登録テーブルに、索引番号「００１０」に対応付けて「開封後は、」を登録し、索引番号「−０１１」に対応付けて「２時間以内」を登録し、索引番号「００１２」に対応付けて「にお召し上がりください。」を登録し、これらの文字列の間を詰めて、図１６のように印字しても良い。
【００５４】
以上述べたように、本実施形態によれば、「−（ハイフン又はマイナス）」を付した索引番号と「−」を付さない索引番号とに基づいて、下線の有無を区別して文字列を登録するので、簡単な操作により、任意の文字について下線の有無を選択しながら文字や記号等を入力することのできる
【産業上の利用可能性】
【００５５】
本発明は、台紙に仮着されたラベル、又は、タグ製造用の帯状のシートに印字を行うプリンタにおいて利用することが可能である。
【図面の簡単な説明】
【００５６】
【図１】本発明の一実施形態に係るプリンタの内部構造を示す図である。
【図２】図１に示すプリンタの外観を示す斜視図である。
【図３】本発明の一実施形態に係るプリンタの制御部の構成を示すブロック図である。
【図４】図１に示すプリンタの登録処理の際における動作を示すフローチャートである。
【図５】索引番号を入力するための入力画面を表す図である。
【図６】リサイクルマークに関する文字列を入力するための入力画面を示す図である。
【図７】索引番号入力欄に索引番号「−００１」を入力した画面を示す図である。
【図８】登録テーブルを示す図である。
【図９】図１に示すプリンタの印字処理の際における動作を示すフローチャート（前半）である。
【図１０】図１に示すプリンタの印字処理の際における動作を示すフローチャート（後半）である。
【図１１】プラスチック製容器包装の材質を指定する１番目の索引番号を入力するための画面を示す図である。
【図１２】プラスチック製容器包装の材質を指定する２番目の索引番号を入力するための画面を示す図である。
【図１３】プラスチック製容器包装の材質を指定する３番目の索引番号を入力するための画面を示す図である。
【図１４】下線を付された文字の印字パターンを説明するための図である。
【図１５】表示部において表示される確認画面を示す図である。
【図１６】他の印字例を示す図である。
【符号の説明】
【００５７】
１０  プリンタ
１１  ラベル
１２  台紙
１３  ラベル連続体
１４  供給軸
１５  プラテンローラ
１６  ステッピングモータ
１７  ベルト
１８  サーマルヘッド
１９  センサ
２０  制御部
２１  ハードディスク
２２  ハードディスク制御部
２３  ＲＯＭ
２４  ＲＡＭ
２５  ＣＰＵ
２５ａ  文字列登録部
２５ｂ  文字列読出部
２５ｃ  印字データ生成部
２５ｄ  表示処理部
２５ｅ  印字処理部
２６  モータ制御部
２７  サーマルヘッド制御部
２８  センサ制御部
２９  インタフェース
３０  入力部
４０  表示部
５０、６０、７０  入力画面
８０  確認画面
５１、６１、７１  テーブル名の欄
５２、７２  索引番号入力欄
５３、６３、７３  入力形式指定欄
６２  文字列入力欄
７４  印字順番欄
７５  入力モード欄
７６  スクロールマーク
【図１】
2006007628.tif 000003
【図２】
2006007628.tif 000004
【図３】
2006007628.tif 000005
【図４】
2006007628.tif 000006
【図５】
2006007628.tif 000007
【図６】
2006007628.tif 000008
【図７】
2006007628.tif 000009
【図８】
2006007628.tif 000010
【図９】
2006007628.tif 000011
【図１０】
2006007628.tif 000012
【図１１】
2006007628.tif 000013
【図１２】
2006007628.tif 000014
【図１３】
2006007628.tif 000015
【図１４】
2006007628.tif 000016
【図１５】
2006007628.tif 000017
【図１６】
2006007628.tif 000018